(57)【要約】【課題】年間を通じ、夜間照明の消灯および点灯の時刻を、照明器具が設置された地域における日の入／日の出の時刻に合わせて簡単に設定できる屋外照明システムを提供する。【解決手段】携帯端末１の画面上で、照明管理サーバ２が外部サーバ７ｂから取得した日の入／日の出の時刻情報に基づき、庭園Ｇに設置された照明器具６の点灯／消灯の時刻を設定する。サーバ２は、携帯端末１から送信された照明器具６の点灯／消灯の時刻データを、無線ルータ４を介してコーディネータ５に送信する。コーディネータ５は、サーバ２から送信された点灯／消灯の時刻データに基づいて、それぞれの照明器具６ａ、６ｂ、６ｃの動作を制御し、指定された時刻に照明器具を点灯し、また指定された時刻に消灯する。【選択図】図１
2020205141.tif 000002
【特許請求の範囲】
【請求項１】
屋外に設置された複数の照明器具と、
前記照明器具と無線によって通信が可能であり、前記照明器具の点灯および消灯を制御するコーディネータと、
ネットワークを介して前記コーディネータと通信可能であり、前記コーディネータに前記照明器具の点灯および消灯の時刻データを送信するサーバと、
無線電話網を含むネットワークを介して前記サーバと通信可能であり、前記サーバに指示して、前記照明器具が設置された地域の日の入および日の出の時刻情報を取得し、当該取得した時刻情報に基づいて前記照明器具の点灯および消灯の時刻を設定する携帯端末と、を備えたことを特徴とする屋外照明システム。
【請求項２】
前記照明器具が設置された地域の住所情報は、前記携帯端末の位置情報に基づいて第１の外部サーバから取得した地図情報から入手し、
当該地域における日の入および日の出の時刻情報は、こよみ情報のデータベースを備えた第２の外部サーバから取得する、請求項１に記載の屋外照明システム。
【請求項３】
前記照明器具が設置された地域の住所情報は、郵便番号に基づいて第３の外部サーバから取得した当該地域の住所情報から入手し、
当該地域における日の入および日の出の時刻情報は、こよみ情報のデータベースを備えた第４の外部サーバから取得する、請求項１に記載の屋外照明システム。
【請求項４】
前記携帯端末における点灯および消灯の時刻設定は、前記複数の照明器具をグループとして一括して行う、請求項１乃至３のいずれかに記載の屋外照明システム。
【請求項５】
前記携帯端末における点灯および消灯の時刻設定は、前記複数の照明器具の器具毎に行う、請求項１乃至３のいずれかに記載の屋外照明システム。
【請求項６】
前記コーディネータと前記複数の照明器具の間の通信は、無線通信規格の一種であるZiGBeeによって行われる、請求項１乃至５のいずれかに記載の屋外照明システム。
【請求項７】
前記携帯端末には、前記複数の照明器具の点灯および消灯の時刻を設定するためのアプリケーションソフトがインストールされている、請求項１乃至６のいずれかに記載の屋外照明システム。
【請求項８】
屋外に設置された複数の照明器具と、前記照明器具と無線によって通信が可能であり、前記照明器具の点灯および消灯を制御するコーディネータと、ユーザが使用する携帯端末とを含む屋外照明システムで使用され、前記コーディネータを介して前記照明器具の動作を管理する照明管理サーバであって、
無線電話網を含むネットワークを介して前記携帯端末と通信可能、かつネットワークを介して前記コーディネータと通信可能であり、
前記携帯端末の指示に従って、前記照明器具が設置された地域の日の入および日の出の時刻情報を取得すると共に、当該取得した時刻情報に基づいて設定された、前記照明器具の点灯および消灯の時刻データを前記携帯端末から受け取り、前記コーディネータに送信することを特徴とする照明管理サーバ。
【請求項９】
前記照明器具が設置された地域の住所情報は、前記携帯端末の位置情報に基づいて第１の外部サーバから取得した地図情報から入手し、
当該地域における日の入および日の出の時刻情報は、こよみ情報のデータベースを備えた第２の外部サーバから取得する、請求項８に記載の照明管理サーバ。
【請求項１０】
前記照明器具が設置された地域の住所情報は、郵便番号に基づいて第３の外部サーバから取得した当該地域の住所情報から入手し、
当該地域における日の入および日の出の時刻情報は、こよみ情報のデータベースを備えた第４の外部サーバから取得する、請求項８に記載の照明管理サーバ。
【発明の詳細な説明】
【技術分野】
【０００１】
本発明は、庭園等の屋外に設置された照明器具を、携帯端末を用いて制御するシステム、および当該システムに使用する照明管理サーバに関する。
【背景技術】
【０００２】
空気調和機や照明器具等の電気機器の分野において、ユーザに快適な環境を提供するために、持ち運び可能な携帯端末（スマートフォンやタブレットＰＣ）を用いて動作を制御する技術が採用されるようになってきた。
【０００３】
本出願人は上記技術の一貫として、先に、庭園等に設置されたカメラの撮影画像を、ユーザの携帯端末で視聴することにより、安全の確保と共に快適な癒し空間を演出するシステムを提案した（非特許文献１参照）。
【０００４】
上述したシステムにおいて、夜間、カメラで撮影した映像を視聴するためには、撮影箇所を照明する必要がある。その際に、照明器具の点灯および消灯を、カメラと同様に携帯端末を用いて指示できれば、ユーザの利便性が高まる。
【０００５】
携帯端末を用いて室内照明の点灯／消灯や色調を制御する技術については、既に提案されている（特許文献１参照）。
【０００６】
一方、庭園に設置された照明器具については、ユーザが携帯端末を用いて点灯／消灯を指示する以外に、不要な照明を避けるために、日の入後に点灯し、日の出後に消灯する必要がある。
【先行技術文献】
【特許文献】
【０００７】
【特許文献１】特開2015-211322号公報
【非特許文献】
【０００８】
【非特許文献１】株式会社タカショーウェブカタログ「ＬＥＤＩＵＳＣａｍリーフレット」2018年7月発刊
【発明の概要】
【発明が解決しようとする課題】
【０００９】
一般に、照明器具の点灯時間を制御する方法として、照度センサを用いる方法とタイマーを用いる方法がある。
【００１０】
これらのうち照度センサを用いる方法は、外部の明るさに応じて照明器具を点灯／消灯できる利点があるが、樹木や家屋等の障害物によって太陽光が遮られた場合、不必要な時間に点灯することになる。
【００１１】
一方、タイマーを用いた場合、設定は簡単であるが、季節の変化に応じて日の入／日の出の時刻が変動するため、タイマーの時刻を頻繁に調節する必要がある。
【００１２】
本発明は、このような従来の問題点に鑑みてなされたもので、年間を通じ、夜間照明の消灯および点灯の時刻を、日の入／日の出の時刻に合わせて簡単に設定できる屋外照明システムを提供することを目的とする。
【課題を解決するための手段】
【００１３】
上記目的を達成するため、本発明にかかる屋外照明システムは、
屋外に設置された複数の照明器具と、
前記照明器具と無線によって通信が可能であり、前記照明器具の点灯および消灯を制御するコーディネータと、
ネットワークを介して前記コーディネータと通信可能であり、前記コーディネータに前記照明器具の点灯および消灯の時刻データを送信するサーバと、
無線電話網を含むネットワークを介して前記サーバと通信可能であり、前記サーバに指示して、前記照明器具が設置された地域の日の入および日の出の時刻情報を取得し、当該取得した時刻情報に基づいて前記照明器具の点灯および消灯の時刻を設定する携帯端末と、を備えたことを特徴とする。
【００１４】
ここで、前記照明器具が設置された地域の住所情報は、前記携帯端末の位置情報に基づいて第１の外部サーバから取得した地図情報から入手し、当該地域における日の入および日の出の時刻情報は、こよみ情報のデータベースを備えた第２の外部サーバから取得することが好ましい。
【００１５】
もしくは、前記照明器具が設置された地域の住所情報は、郵便番号に基づいて第３の外部サーバから取得した当該地域の住所情報から入手し、当該地域における日の入および日の出の時刻情報は、こよみ情報のデータベースを備えた第４の外部サーバから取得することが好ましい。
【００１６】
なお、前記携帯端末における点灯および消灯の時刻設定は、前記複数の照明器具をグループとして一括して行ってもよいし、前記複数の照明器具の器具毎に行ってもよい。
【００１７】
また前記コーディネータと前記複数の照明器具の間の通信は、無線通信規格の一種であるZiGBeeによって行われることが好ましい。
【００１８】
また前記携帯端末には、前記複数の照明器具の点灯および消灯の時刻を設定するためのアプリケーションソフトがインストールされていることが好ましい。
【００１９】
更に、本発明に係る照明管理サーバは、屋外に設置された複数の照明器具と、前記照明器具と無線によって通信が可能であり、前記照明器具の点灯および消灯を制御するコーディネータと、ユーザが使用する携帯端末とを含む屋外照明システムで使用され、前記コーディネータを介して前記照明器具の動作を管理する照明管理サーバであって、
無線電話網を含むネットワークを介して前記携帯端末と通信可能、かつネットワークを介して前記コーディネータと通信可能であり、
前記携帯端末の指示に従って、前記照明器具が設置された地域の日の入および日の出の時刻情報を取得すると共に、当該取得した時刻情報に基づいて設定された、前記照明器具の点灯および消灯の時刻データを前記携帯端末から受け取り、前記コーディネータに送信することを特徴とする。
【発明の効果】
【００２０】
本発明に係る屋外照明システムによれば、日の入／日の出の時刻に合わせて照明器具を点灯／消灯できるため、無駄な照明による電力の浪費を回避できる。
【００２１】
しかも点灯／消灯の時刻は、照明管理サーバが取得した日の入／日の出の時刻情報に基づき、携帯端末を用いて簡単に設定できるため、携帯端末を用いて照明を制御する際の利便性が一層高まる。
【図面の簡単な説明】
【００２２】
【図１】本発明の実施の形態に係る屋外照明システムの全体構成を示す図である。
【図２】同システムのうち携帯端末と照明管理サーバの構成を示すブロック図である。
【図３】同システムのうちコーディネータと照明器具の構成を示すブロック図である。
【図４】本実施の形態に係る屋外照明システムにおける点灯／消灯の手順を示すフローチャートである。
【図５】庭園が位置する地域の住所情報を取得する際の携帯端末の画面を示す図である。
【図６】照明器具の点灯／消灯の時刻を設定する携帯端末の画面を示す図（その１）である。
【図７】照明器具の点灯／消灯の時刻を設定する携帯端末の画面を示す図（その２）である。
【発明を実施するための形態】
【００２３】
以下、本発明の実施の形態にかかる屋外照明システムについて、図面を参照しながら説明する。
【００２４】
＜屋外照明システムの概要＞
図１に、本実施の形態に係る屋外照明システムの全体構成を示す。屋外照明システム１００は、携帯端末１、照明管理サーバ２、ネットワーク３、ルータ４、コーディネータ５、照明器具６ａ、６ｂおよび６ｃ（以降、総称して「照明器具６」ともいう）で構成されている。図中、実践の矢印で接続された機器同士は有線でデータの交信が行われ、破線の矢印で接続された機器同士は無線でデータの交信が行われる。
【００２５】
本実施の形態では、図中、一点鎖線で囲まれた庭園Ｇに分散して設置された複数の照明器具６ａ、６ｂおよび６ｃの点灯／消灯を、ユーザが携帯端末１を操作して制御する場合について説明する。なお、本発明に係る屋外照明システムは、照明器具６が住宅の庭園Ｇに設置されている場合に限らず、公園や校庭等に設置されている場合にも適用できる。
【００２６】
本発明に係る屋外照明システム１００は、ユーザの携帯端末１を用いて屋外に設置された照明器具６の点灯／消灯を制御するに際し、庭園Ｇが位置する地域の日の入／日の出の時刻情報を外部のサーバから取得し、その時刻情報に基づいて照明器具６の点灯／消灯の時刻を設定することを特徴としている。
【００２７】
取得した日の入／日の出の時刻情報に基づき、携帯端末１を操作して点灯／消灯の時刻を設定すれば、その後は、サーバ２の指示に従い、指定された時刻に照明器具６が点灯し、また消灯する。結果として、庭園Ｇに設置された照明器具６の点灯/消灯を、携帯端末１によって離れた場所から制御できるというユーザの利便性を確保しながら、無駄な照明による電力の浪費を回避できる。
【００２８】
携帯端末１を用いて照明器具６の点灯／消灯を制御する手順の概略を説明する。携帯端末１は、無線電話網を含むネットワーク３を介して照明管理サーバ（以降、単に「サーバ」という）２に接続されている。サーバ２には、庭園Ｇに設置された照明器具６の動作を管理するソフトウェアが予めインストールされており、一方、携帯端末１には、照明器具６の点灯時刻および消灯時刻を設定するアプリケーションソフトが予めインストールされている。
【００２９】
最初にユーザは、庭園Ｇがある地域の住所情報（都道府県名、市町村名）を取得する。住所情報の取得には、外部サーバ７ａを利用する方法を含めて３種類の方法がある（取得方法の詳細は後述する）。住所情報を取得したユーザは、携帯端末１を用いてその情報をサーバ２に通知する。
【００３０】
ネットワーク３を介してサーバ２に接続された外部サーバ（例えば日本気象協会のサーバ）７ｂには、地域毎および季節毎の日の入／日の出の時刻情報を含むこよみ情報がデータベースとして格納されている。サーバ２は、外部サーバ７ｂにアクセスして、通知された地域における現在の日の入／日の出の時刻情報を取得する。サーバ２が取得した日の入／日の出の時刻情報は携帯端末１に送信される。
【００３１】
ユーザは、携帯端末１に送信された日の入／日の出の時刻情報に基づいて、庭園Ｇに設置された照明器具６の点灯および消灯の時刻を設定する（設定方法の詳細は後述する）。ユーザによって設定された点灯／消灯の時刻データはサーバ２に送信される。
【００３２】
サーバ２は、携帯端末１から送信された照明器具６の点灯／消灯の時刻データを、ルータ４を介してコーディネータ５に送信する。コーディネータ５は、サーバ２から送信された点灯／消灯の時刻データに基づいて照明器具６ａ、６ｂ、６ｃの動作を制御し、指定された時刻に照明器具を点灯し、また指定された時刻に消灯する。
【００３３】
＜携帯端末およびサーバの構成と機能＞
次に、図２を参照して、屋外照明システム１００を構成する機器のうち携帯端末１とサーバ２の構成および機能について説明する。最初に、携帯端末１について説明する。
【００３４】
図２に示すように、携帯端末１は、制御部１１、記憶部１２、通信部１３、表示部１４、入力部１５およびＧＰＳ受信機１７で構成されている。
【００３５】
制御部１１は携帯端末１の各部を統括的に制御すると共に、表示制御１１１および照明設定１１２の各機能を実現する。これらの機能は、記憶部１２に記憶されたソフトウェアを、図示しないＣＰＵが実行することにより実現される。
【００３６】
制御部１１の機能のうち表示制御１１１は、表示部１４に表示される画像の表示制御を行うものである。照明設定１１２は、サーバ２から受信した日の入／日の出の時刻情報に基づいて照明器具６の点灯／消灯の時刻を設定する際に用いられる。
【００３７】
記憶部１２は、ＲＯＭやフラッシュメモリ等の不揮発性メモリと、ＲＡＭ等の揮発性メモリとで構成される。そのうち不揮発性メモリには、制御部１１が実行する各種のソフトウェアが格納され、揮発性メモリには、当該ソフトウェアにおいて使用されるデータ等が格納され、またワーキングメモリとして用いられる。
【００３８】
通信部１３は、携帯端末１が外部機器との通信を行うための通信インターフェースである。通信部１３は、無線電話網を含むネットワーク３を介して、後述するサーバ２の通信部２３と通信を行うことができる。
【００３９】
画像を表示する表示部１４とユーザの入力を受け付ける入力部１５は、一体化されたタッチパネル１６で構成されている。ユーザは、タッチパネル１６に表示された各ボタンをタップ（指触）することで、照明器具６の点灯／消灯の時刻を設定できる。
【００４０】
なお、表示部１４および入力部１５は別体の部材としてもよい。この場合、ユーザは、入力部１５を操作することで、照明器具６の点灯と消灯の時刻を設定する。
【００４１】
ＧＰＳ受信機１７は、衛星からの信号を受信して携帯端末１の位置情報（緯度・経度情報）を取得する機器であり、外部サーバ７ａから取得した地図情報に位置情報を重ねることで、携帯端末１の位置を地図上に表示することができる。
【００４２】
次に、サーバ２について説明する。サーバ２は、制御部２１、記憶部２２および通信部２３で構成されている。サーバ２として単体のサーバまたはクラウドサーバのいずれを用いてもよい。
【００４３】
制御部２１は、サーバ２の各部を統括的に制御すると共に、照明制御２１１の機能を発揮する。制御部２１の機能は、記憶部２２に記憶されたソフトウェアを読み出し、図示しないＣＰＵで実行することにより実現される。
【００４４】
照明制御２１１は、携帯端末１で設定された点灯／消灯の時刻データに基づいて照明器具６の制御用データを作成し、そのデータをコーディネータ５に送信する。
【００４５】
記憶部２２は、ＲＯＭ、ＨＤ等の不揮発性メモリと、ＲＡＭ等の揮発性メモリで構成される。不揮発性メモリには、主として制御部２１が実行するソフトウェアが格納され、揮発性メモリには、ソフトウェアによって使用されるデータが格納される。また揮発性メモリは、ＣＰＵによってソフトウェアを実行する際のワーキングメモリとして用いられる。
【００４６】
次に、図１を参照して、庭園Ｇに設置された各機器について説明する。庭園Ｇ内に設置されたコーディネータ５、照明器具６およびカメラ８には、トランス９を介して電力が供給される。商用電源から供給された１００ボルト（Ｖ）の交流電圧は、トランス９で１２Ｖの直流電圧に変換された後、ケーブル９１により各機器に供給される。トランス９で１００Ｖの交流電圧を１２Ｖの直流電圧に変換することによって電気器具の取り扱いが容易となり、更に感電事故の発生を防止できる。
【００４７】
またサーバ２で作成された照明器具６の制御信号は、ネットワーク３および無線ルータ４を介して庭園Ｇに設置されたコーディネータ４に転送される。無線ルータ４とコーディネータ５との間は、無線ＬＡＮの通信規格であるWi-Fi（登録商標）によって信号が送信される。
【００４８】
なお、図１では、庭園Ｇにカメラ８が設置されており、カメラ８で撮影された庭園の映像信号を、Wi-Fiによって無線ルータ４に送信し、更にネットワーク３を介してサーバ３に送信し、最終的には、庭園Ｇの映像が携帯端末の表示部１４に表示される。ただし、カメラ８による庭園の撮影は本発明と直接的には関係しないため、詳細な説明は省略する。
【００４９】
＜コーディネータおよび照明器具の構成と機能＞
次に、図３を参照して、庭園Ｇに設置されたコーディネータ５および照明器具６の構成と機能を説明する。
【００５０】
本実施の形態では、コーディネータ５と照明器具６との間の通信にはZigBeeを採用している。ZigBeeは短距離無線通信規格の一つであり、データの転送速度が遅い代わりに端末を安価に作製でき、消費電力が小さいという特徴を備えている。基礎部分の仕様はIEEE802.15.4として規格化されている。
【００５１】
後述するように、コーディネータ５には、Wi-Fi に準拠した第１の通信部とZigBee に準拠した第２の通信部が内蔵されており、無線ルータ５との間はWi-Fi によって通信が行われ、照明器具６との間はZigBee によって通信が行われる。
【００５２】
コーディネータ５は、ZigBeeのネットワークにおける“コーディネータ”として機能し、無線ルータ５を介してサーバ２から送信された制御信号に従って複数の照明器具６の点灯と消灯を制御する。
【００５３】
一方、照明器具６は、ZigBeeのネットワークにおける“エンドデバイス”または“ルータ”として機能する。前述の図１において、照明器具６ａは“ルータ”として機能し、照明器具６ｂおよび６ｃは“エンドデバイス”として機能する。図１に破線の矢印で示したように、コーディネータ５から送信された点灯／消灯の指示信号は、照明器具６ａ、６ｂおよび６ｃの間をバケツリレー式に転送される。
【００５４】
図３に示すように、コーディネータ５は、全体の動作を制御するコントローラ５１と、２つの通信部５６および５７で構成されている。このうちコントローラ５１は、ＣＰＵ５２、不揮発性メモリ５３、揮発性メモリ５４、入力・表示部５５および計時部５６で構成されている。
【００５５】
ＣＰＵ５２は通信部５７で受信したパケットから取り出された点灯／消灯の時刻データを確認すると共に、通信部５８に対して点灯／消灯の指示信号を含むパケットの生成を指示する。
【００５６】
不揮発性メモリ５３は、ＲＯＭおよびフラッシュメモリで構成され、制御用のプログラムや動作パラメータが記憶される。またフラッシュメモリには、サーバ２から送信された点灯／消灯の時刻データが書き込まれる。
【００５７】
一方、揮発性メモリ５４はＲＡＭで構成され、ランタイムデータを一時的に格納する。揮発性メモリ５４は、電力が供給されている期間のみデータを保持する。
【００５８】
入力・表示部５５は、タッチパネル式の液晶ディスプレイで構成され、サーバ２から送信されたデータを表示するもので、点灯／消灯の時刻を確認するために用いられる。
【００５９】
計時部５６はＲＴＣ（リアルタイムクロック、計時専用の半導体チップ）で構成されたタイマーを内蔵しており、照明器具６に対して点灯および消灯を指示する際に用いられる。
【００６０】
２つの通信部のうち第１の通信部５７はWi-Fiに準拠して構成されており、無線ルータ５から送信され、アンテナ５７１で受信したパケットから点灯／消灯の時刻データを取り出し、コントローラ５１に渡す。
【００６１】
一方、第２の通信部５８は、ＣＰＵ５２で生成された点灯／消灯の指示信号にヘッダ等の情報を付加してデータ転送用のパケットを生成し、アンテナ５８１から無線で送信する。データ転送用のパケットには、送信元であるコーディネータ５のアドレス、送信先である照明器具６のアドレス、点灯／消灯の指示信号、並びにパリティチェック用のＣＲＣが含まれる。
【００６２】
次に、照明器具６について説明する。照明器具６は、照明の明るさおよび色調を含む照明器具６の動作を制御するコントローラ６１、発光色の異なる複数のＬＥＤで構成された発光部６６、ならびにコーディネータ５および他の照明器具６との通信を行う通信部６７を備えている。
【００６３】
このうちコントローラ６１は、コーディネータ５から送信された制御信号に従って発光部６６を点灯／消灯させる機能と、発光部６６を制御して、任意の明るさと色調の照明を行う機能とを備えている。
【００６４】
コントローラ６１は、ＣＰＵ６２、不揮発性メモリ６３、揮発性メモリ６４、入力部・表示部６５で構成されている。
【００６５】
ＣＰＵ６２は、発光部６６の点灯／消灯を制御する機能と、不揮発性メモリ６３に格納されたデータに基づき、発光部６６を所定の明るさおよび色調で発光させる機能とを備えている。
【００６６】
不揮発性メモリ６３は、ＲＯＭおよびフラッシュメモリで構成され、制御用のプログラムや動作パラメータが書き込まれる。またフラッシュメモリには、入力・表示部６５から入力された発光部６６の明るさと色調を指定するデータが書き込まれる。一方、揮発性メモリ６４はＲＡＭで構成され、コーディネータ５から送信された点灯／消灯の指示信号およびランタイムデータを一時的に格納する。
【００６７】
入力・表示部６５は、タッチパネル式の液晶ディスプレイで構成され、発光部６６における発光の明るさと色調を指定するため、および入力されたデータを確認するために用いられる。
【００６８】
発光部６６は、発光色の異なる複数のＬＥＤで構成され、各ＬＥＤに流す電流の値を変えることにより、異なる明るさと色調の照明を実現する。
【００６９】
通信部６７は、アンテナ６７１で受信したパケットのアドレスを確認し、自分宛てのパケットについては、書き込まれたデータを読み出してコントローラ６１に渡し、一方、他の照明器具宛てのパケットについては、下流側に転送する。
【００７０】
上述したように、通信部６７はパケットの中継機能を備えており、コーディネータ５から送信されたパケットを自身で受け取るだけでなく、他の照明器具６に転送する。図示しないが、通信部６７は、自分よりコーディネータ５から遠い位置にある照明器具６のうち、どの照明器具にデータを転送するかを定めたアドレスリストを内蔵のメモリに格納している。
【００７１】
例えば、図１において、コーディネータ５から“ルータ”として機能する照明器具６ａに送信されたパケットは、“エンドデバイス”として機能する照明器具６ｂおよび６ｃに転送される。図では庭園Ｇに３台の照明器具しか設置されていないが、数十台の照明器具が設置されている場合にも、上述した方法により、バケツリレー式にパケットが転送され、最終的に、全ての照明器具６が、コーディネータ５から自己宛てのパケットを受け取る。
【００７２】
＜点灯／消灯の手順＞
次に、図４〜図７を参照して、本実施の形態に係る屋外照明システムにおける照明器具６の点灯／消灯の手順を説明する。図４は、屋外照明システム１００における点灯／消灯の手順を示すフローチャートである。
【００７３】
本システムによって照明器具６の点灯／消灯を制御するユーザは、事前の作業として、庭園Ｇに設置された照明器具毎に明るさと色調を調節すると共に、データ転送のルートを設定する。
【００７４】
具体的には、ユーザは、照明器具６の入力部６５から指定する明るさおよび色調のデータを入力する。ユーザは、表示部６６において入力したデータに誤りがないことを確認した後、そのデータを不揮発性メモリ６３に格納する。
【００７５】
更にユーザは、コーディネータ５の通信部５８と照明器具６の通信部６９のメモリ（図示せず）に、データ転送先の照明器具６のアドレスを書き込んで、データ転送のルートを確立する。このようにして点灯／消灯の準備を完了した後、図４に示した作業に着手する。
【００７６】
最初に、ユーザは携帯端末１の画面に表示された屋外照明システムのアイコン（図示せず）をタップし、屋外照明システムのアプリケーションソフトを起動する（ステップＳ１１）。すると、携帯端末１の表示部１５に、図５（ａ）に示す地域名を登録する画面Ｐ１が表示される。
【００７７】
ユーザは、画面Ｐ１を用いて庭園Ｇのある地域の名称（都道府県名、市区町村名）を取得する（ステップＳ１２）。画面Ｐ１のエリアＰ１１に示すように、地域名の取得方法として、３つの方法がある、
【００７８】
第１の方法は、携帯端末１の位置情報から地域名を取得する方法である。具体的には、携帯端末１の機能である位置表示機能を利用し、内蔵されたＧＰＳ受信機１７を用いて携帯端末１の緯度・経度情報を取得する。
【００７９】
図５（ｂ）に、携帯端末１の緯度・経度情報に基づいて外部サーバ７ａのデータベースから地図情報を取得したときの携帯端末１の画面Ｐ１を示す。ユーザが、画面Ｐ１に表示されたエリアＰ１１から「位置情報から検索」のボタンを選択すると、ボタンの下のエリアＰ１２に、外部サーバ７ａから取得した、携帯端末１の近くの地図情報と地域名「○○○県△△市」が表示される。地図情報のデータベースの一例として、グーグルが提供するデータベースがある。
【００８０】
第２の方法は、庭園Ｇがある地域の郵便番号から地域名を取得する方法である。図５（ｃ）に示すように、ユーザが、画面Ｐ１のエリアＰ１１から「郵便番号から検索」のボタンを選択すると、携帯端末１は、郵便番号の情報を蓄積した外部サーバ７ａのデータベースにアクセスし、エリアＰ１３に、郵便番号に対応した地域名「○○○県△△市」が表示される。郵便番号のデータベースの一例として、郵政株式会社が提供するデータベースがある。
【００８１】
第３の方法は、ユーザが何らかの方法を用いて庭園がある場所の地域名を調べ、その地域名を直接、携帯端末１の画面Ｐ１に入力する方法である。この場合、携帯端末の画面Ｐ１の選択エリアＰ１１に表示された「地域名から検索」のボタンを選択した後、都道府県名と市区町村名のプルダウンメニュー（図示せず）を開いて地域名を入力する。
【００８２】
上述したいずれかの方法によって庭園Ｇが存在する地域の住所情報を入手した後、ユーザは、画面Ｐ１の「登録」のボタンＰ１３をタップして地域名をサーバ２に登録すると共に、夜間照明を指示する（ステップＳ１３）。
【００８３】
サーバ２は、情報端末１の指示に従い、外部サーバ７ｂにアクセスして、指定された地域における現時点の日の入／日の出の時刻情報を取得すると共に、その情報を携帯端末１に送信して、図６に示す「タイマー設定」画面Ｐ２に表示する。
【００８４】
ユーザは、図６に示す画面Ｐ２の「日の入・日の出設定」のエリアＰ２１を選択し、照明器具６を点灯させ、および消灯させる時刻を設定する。画面Ｐ２において、エリアＰ２２には外部サーバ７ｂから取得した日の入／日の出の時刻が表示される。
【００８５】
ユーザは、エリアＰ２３を用いて点灯開始時刻を設定し、エリアＰ２４を用いて点灯終了（消灯）時刻を設定する。同様に、エリアＰ２５を用いて点灯／消灯を繰り返すか否かを設定し、エリアＰ２６および２７を用いて、予約グループおよび予約シーンのいずれかを選択する。なお、日の入／日の出の時刻データを用いず、手動タイマーを用いて点灯／消灯時刻を設定する場合には、エリアＰ２８を用いて時刻の設定を行う。
【００８６】
ユーザは、点灯開始時刻を設定する場合、エリアＰ２３をタップして図７（ａ）に示す画面Ｐ３を開き、点灯開始時刻を日の入からどれだけ前または後にするか設定する。同様に、点灯終了時刻を設定する場合、エリアＰ２４をタップして図７（ｂ）に示す画面Ｐ４を開き、点灯終了時刻を日の出からどれだけ前にするか、もしくは点灯開始からどれだけ後にするかを設定する。
【００８７】
また設定した点灯開始時刻および点灯終了時刻を繰り返す場合には、エリアＰ２４をタップして、図７（ｃ）に示す画面Ｐ５を開き、繰り返したい曜日を選択する。繰り返しを選択した場合、１週間のうち選択された曜日において、設定された時刻に照明器具６が点灯し、また消灯する。
【００８８】
次に、エリアＰ２６の「予約グループ」を選択した場合、庭園Ｇに設置されたすべての照明器具６をグループとして点灯時刻および消灯時刻を設定できる。これに対し、エリアＰ２６の「予約シーン」を選択した場合、照明器具６毎に点灯時刻および消灯時刻を設定できる。以下の説明では、ユーザが「予約グループ」を選択するものとする。
【００８９】
画面Ｐ２を用いた点灯／消灯の時刻設定が終了すると、サーバ２は、設定された点灯／消灯の時刻データをコーディネータ５に送信する（ステップＳ２２）。サーバ２から時刻データを受信したコーディネータ５のコントローラ５１は、それらのデータを不揮発性メモリ５３に格納すると共に、照明器具６の点灯／消灯の制御を開始する（ステップＳ３１）。
【００９０】
コントローラ５１のＣＰＵ５４は、不揮発性メモリ５３から上述した点灯／消灯の時刻データを読み出すと共に、その値を計時部５６から出力される時刻データと比較し、点灯の時刻になった時（ステップＳ３２でＹｅｓ）、点灯を指示する。この指示を受けた通信部５８は、３つの照明器具６ａ、６ｂおよび６ｃに対して点灯の指示信号を含むパケットを生成し、ブロードキャスト機能を利用して、それぞれの照明器具に送信する（ステップＳ３３）。
【００９１】
コーディネータ５で生成されたパケットは、予め定めたルートに従って、照明器具６間をバケツリレー式に転送され、各照明器具６ａ、６ｂおよび６ｃに到達する。
【００９２】
パケットを受信した照明器具６の通信部６７は、パケットから点灯を指示するデータを取り出し、コントローラ６１のＣＰＵ６２に渡す。ＣＰＵ６２は、点灯指示データに基づいて発光部６６を点灯し、予め定めた明るさおよび色調で照明を行う（ステップＳ４１）。このようにして、全ての照明器具６は、携帯端末１によって指定された時刻に照明を開始する。
【００９３】
コーディネータ５のＣＰＵ５２は,計時部５６から出力される時刻データの監視を継続し、時刻データが、不揮発性メモリ５３から読み出した消灯の時刻データと一致したとき（ステップＳ３４においてＹｅｓ）、消灯を指示する。この指示を受けた通信部５８は、消灯の指示信号を含むパケットを生成し、照明器具６ａ、６ｂおよび６ｃに送信する（ステップＳ３５）。
【００９４】
コーディネータ５から送信されたパケットは、点灯の場合と同様のルートを経て照明器具６ａ、６ｂおよび６ｃに転送され、それぞれの通信部６７でパケットから消灯の指示信号が取り出され、コントローラのＣＰＵ６２に渡される。ＣＰＵ６２は、受け取った消灯の指示信号に従って、発光部６６を消灯する（ステップＳ４２）。
【００９５】
上述したように、図４に示した手順に従い、庭園Ｇに設置された各照明器具６は、庭園Ｇが位置する地域の日の入／日の出の時刻情報に対応して設定された時刻に点灯／消灯することにより、無駄な照明による電力の浪費を回避できる。しかも点灯／消灯の時刻は、サーバ２が取得した日の入／日の出の時刻情報に基づき、携帯端末１を用いて設定できるため、ユーザの利便性が一層高まる。
【００９６】
なお、携帯端末１における夜間照明の指示がユーザによって解除されない場合、サーバ２は定期的（例えば１か月毎）に外部サーバ７ｂにアクセスして、最新の日の入／日の出の時刻情報を入手する。そして、その時刻情報に基づいて点灯／消灯の時刻を更新し、その時刻データをコーディネータ５に送信する。時刻データを受信したコーディネータ５は、図４の手順に従い、更新された時刻データに基づいて、照明器具６を点灯／消灯する。
【００９７】
また、上述した実施の形態では、図６の「タイマー設定」の画面Ｐ２において、予約グループＰ２６を選択した場合、すなわち、全ての照明器具６をグループとして点灯／消灯させる場合について説明したが、予約シーンＰ２７を選択すれば、照明器具６毎に点灯時刻および消灯時刻を設定することができる。この場合、コーディネータ５は、照明器具毎に点灯／消灯の指示信号を含むパケットを生成し、各照明器具に送信する。
【符号の説明】
【００９８】
１  携帯端末
２  サーバ
３  ネットワーク
４  無線ルータ
５  コーディネータ
６  照明器具
７ａ、７ｂ  外部サーバ
８  カメラ
９  トランス
１１、２１  制御部
１２、２２  記憶部
１３、２３、５７、５８、６７  通信部
１４、  表示部
１５  入力部
１６  タッチパネル
１７  ＧＰＳ受信機
５１、６１  コントローラ
５２、６２  ＣＰＵ
５３、６３  不揮発性メモリ
５４、６４  揮発性メモリ
５５、６５  入力・表示部
５６  計時部
６６  発光部
１００  屋外照明システム
Ｇ    庭園
Ｐ１〜Ｐ５  画面
Ｐ１１〜Ｐ１４、Ｐ２１〜Ｐ２８  エリア
【図１】
2020205141.tif 000003
【図２】
2020205141.tif 000004
【図３】
2020205141.tif 000005
【図４】
2020205141.tif 000006
【図５】
2020205141.tif 000007
【図６】
2020205141.tif 000008
【図７】
2020205141.tif 000009